(57)【要約】      （修正有）【課題】形状、サイズ、重量が異なる２以上の調理器具を載置することができ、用途別に幅寸法を変更できるラックを提供する。【解決手段】ラック１は、基底部２と支持部材３とを含み、具体的には、奥行き方向に伸縮自在な伸縮構造を有してなる基底部と、前記基底部上において、正面から背面に向かう奥行方向に沿って互いに離間して立設されてなる複数の支持部材と、前記支持部材の左右中央部が幅広に形成されてなる幅広支持部４と、前記支持部材の側端部が前記幅広支持部との間に上端が開いてなる切込み６を介して幅細に形成されてなり支持部材の左右両側端部に設けられてなるボトルスタンド部５とを有する。【選択図】図１
0003233352.tif 000002
【実用新案登録請求の範囲】
【請求項１】
基底部と、
前記基底部上において、正面から背面に向かう奥行方向に沿って互いに離間して立設されてなる複数の支持部材と、
前記支持部材の左右中央部が幅広に形成されてなる幅広支持部と、
前記支持部材の側端部が前記幅広支持部との間に上端が開いてなる切込みを介して幅細に形成されてなるボトルスタンド部と、を有してなる
ことを特徴とするラック。
【請求項２】
前記ボトルスタンド部が前記支持部材の左右両側端部に形成されてなる
ことを特徴とする請求項１に記載のラック。
【請求項３】
前記支持部材が、線材によって形成されてなる
ことを特徴とする請求項１又は請求項２に記載のラック。
【請求項４】
前記幅広支持部の上端が上方に向かって凸状曲線に形成されてなる
ことを特徴とする請求項１から請求項３のいずれか１つに記載のラック。
【請求項５】
前記基底部は、奥行き方向に伸縮自在な伸縮構造を有してなる
こと特徴とする請求項１から請求項４のいずれか１つに記載のラック。
【請求項６】
前記伸縮構造は、パンタグラフ構造である
ことを特徴とする請求項５に記載のラック。
【請求項７】
前記支持部材は、前記基底部と着脱可能に取り付けられてなる
ことを特徴とする請求項１から請求項６のいずれか１つに記載のラック。
【請求項８】
前記支持部材の下端部は、左右方向に折り曲げられてなる折曲係合部を備え、前記折曲係合部が、前記基底部の左右端から上方に突設されてなる突設部に形成された挿通孔に着脱可能に係合されてなることを特徴とする請求項１から請求項７のいずれか１つに記載のラック。
【考案の詳細な説明】
【技術分野】
【０００１】
本考案は、フライパンや鍋蓋などの嵩の低い調理具、台所用品、筒形状の容器などの支持対象物を収納することができるラックに関する。
【背景技術】
【０００２】
一般に台所や調理器具で使用されるフライパンや鍋蓋等嵩の低い調理具、台所用品、筒形状の容器は、形状、大きさ、重量が異なり、洗浄後の乾燥する場所や収納する場所が必要になる。さらに、収納したいものが、フライパンや鍋蓋等、嵩の低い調理具、台所用品、筒形状の容器等の支持対象物が異なる種類の場合もある。この場合においては、収納場所が複数必要になるか、あるいは複数の収納器具が必要になる。
【０００３】
そこで例えば、キッチンラックの幅寸法を変更できるものとして、特許文献１には限られたスペースでも容易に載置することができるキッチンラックが提案されている。さらに、鍋蓋以外の調理器具を置くことができるスタンドとして特許文献２が提案されている。
【先行技術文献】
【特許文献】
【０００４】
【特許文献１】特開２０１２―８５８４５号公報
【特許文献２】特開２０１３―００４７６号公報
【考案の概要】
【考案が解決しようとする課題】
【０００５】
ところが、従来のラックは、例えば特許文献１の場合、中央の第２の支持部材の間隔まで、という幅寸法を狭くするには限界があった。そのため一定の幅寸法が必要となりラックの載置場所を確保する必要がある。さらに、例えば特許文献２の場合、形状、サイズ、重量がことなる２以上の調理器具を載置することができずこれ以上の調理器具を収納することができない。これらのようなラックを使用しない場合であってもラック自体の収納場所を確保しなければならない。
【課題を解決するための手段】
【０００６】
そこで、上記課題を解決するための手段として本考案に係るラックは、基底部と、前記基底部上において、正面から背面に向かう奥行方向に沿って互いに離間して立設されてなる複数の支持部材と、前記支持部材の左右中央部が幅広に形成されてなる幅広支持部と、前記支持部材の側端部が前記幅広支持部との間に上端が開いてなる切込みを介して幅細に形成されてなるボトルスタンド部と、を有してなることを特徴とする。
【０００７】
前記ボトルスタンド部は、前記支持部材の左右両側端部に形成されてなることが好ましい。ボトルスタンド部が左右に設けられることによりそれぞれのボトルスタンド部に中空容器を挿しこんで保持することができる。また、中空容器を挿し込まず、フライパンのような嵩の低い支持対象物のみを立てかけた場合には、ボトルスタンド部も合わせて支える面積が拡大されて安定性を保つことができる。
【０００８】
前記支持部材が、線材によって形成されてなることが好ましい。線材は例えば、硬鋼線、ピアノ線、ステンレス線材、樹脂若しくは木製によって構成されていてもよい。支持部材に前記線材を用いて、ばね作用を持たせることにより柔軟性が生まれ、支持部材の着脱を容易にできる。
【０００９】
前記幅広支持部の上端が上方に向かって凸状曲線に形成されていてもよい。これにより幅広支持部は両側のボトルスタンド部に連続して本考案に係るラックの横幅方向に渡って広く支持対象物を支持することができる。
【００１０】
前記基底部は、奥行き方向に伸縮自在な伸縮構造を有してなることが好ましい。
この形態によると複数の調理器具を収納したい場合には本考案の一方の基底部の一端を他の基底部の他端とは相反方向に引っ張って離間させ、収納しない場合には本考案の基底部の一端と他端を接近させて最前に位置する基底部と最後に位置する基底部との距離を縮小させて幅寸法を調節することができるため、用途別に利用可能となる。さらには、幅寸法を最小にすることにより不使用時にはラックの収納場所にも困らない。
【００１１】
前記伸縮構造は、パンタグラフ構造により形成されていてもよい。
この構造にすることで、複数の調理器具を収納しても重量に耐えることができ、安定性を確保することができる。
【００１２】
前記支持部材は、前記基底部と着脱可能に取り付けられてなることが好ましい。
前記支持部材の下端部は左右方向に折り曲げられてなる折曲係合部を備える。本実施形態によると、支持部材の下端部は波形形状に形成されている。前記折曲係合部は、切込みの方向である内方に突出する内凸部分と前記内凸部分と反対方向である外方に向かって突出する外凸部分とからなる。外方に突出した外凸部分を、前記基底部の左右端から上方に突設されてなる突設部に形成された挿通孔に挿し込んで係合する。挿通孔から飛び出している外凸部分を外側から押し込むことができ、挿通孔から外れて取り外しが可能になる。また、四角形状の平らな器具を収納したい場合にはボトルスタンド部がない支持部材を取り付けることもできる。このように、支持部材を着脱可能とすることにより、支持部材の交換が可能となり、多種類の支持対象物を立てかけて収納することができる。
さらには、支持部材が破損、汚れた場合においても取り外して取り換えることや洗うこともできる。
【考案の効果】
【００１３】
本考案に係るラックの開示によれば、例えば、フライパン等の嵩の低い調理器具、台所用品、筒形状の容器等の形状が異なる支持対象物を収納することができる。
【００１４】
また、幅広支持部は、両側のボトルスタンド部に連続して本考案に係るラックの横幅方向に渡って広く支持対象物を支持することができる。ボトルスタンド部に中空容器を収納しない場合には、ボトルスタンド部も支持部材としての役割を果たす。そのため、ボトルスタンド部を設けたことにより、サイズが大きい器具を収納してもより安定して器具を支持することが可能になる。
【００１５】
さらに、基底部がパンタグラフ形状に構成されることから収納数や用途別にあわせて伸縮自在に幅寸法を調節することができる。
【００１６】
さらにまた、支持部材の折曲係合部を基底部の挿通孔から取り外すことができることから、形状の異なる支持部材に取り換えることができる。また、支持部材のみを洗浄することもできる。
【００１７】
また、幅寸法を調整可能としコンパクトにできるため、不使用時のラックを収納する場所に困ることがない。
【図面の簡単な説明】
【００１８】
【図１】本考案を正面から表した図面
【図２】本考案を平面から表した図面
【図３】本考案を底面から表した図面
【図４】本考案を右側面から表した図面
【図５】本考案を表した斜視図
【図６】本考案の不使用状態を正面から表した図面
【図７】本考案の不使用状態を平面から表した図面
【図８】本考案の不使用状態を表した斜視図
【図９】本考案の使用状態を表した図面
【図１０】本考案の基底部と支持部材を分離した状態を表した図面
【考案を実施するための形態】
【００１９】
以下、本考案に係る実施の形態を、図を参照しながら詳しく説明する。なお、本明細書及び図面において、実質的に同一の機能構成を有する構成要素については、同一の符号を付することにより重複説明を省略する。
【００２０】
ラック１は、フライパン２０や鍋蓋等、嵩の低い調理器具、台所用品、筒形状の容器などの支持対象物を収納可能とするものである。
【００２１】
本実施の形態によればラック１は、基底部２と支持部材３とを含む。
具体的には、図１に示すように基底部２と、前記基底部２上において、正面から背面に向かう奥行方向に沿って互いに離間して立設されてなる複数の支持部材３と、前記支持部材３の左右中央部が幅広に形成されてなる幅広支持部４と、前記支持部材３の側端部が前記幅広支持部４との間に上端が開いてなる切込み６を介して幅細に形成されてなるボトルスタンド部５とを有する。
【００２２】
前記ボトルスタンド部５は前記支持部材３の左右両側端部に形成されていてもよい。
一例として、ボトルスタンド部５は上方に向かって幅細に伸張してなり、前記幅広支持部４の左右両側端部に設けられている。ボトルスタンド部５により、開口部の直径が短く内部が中空の容器を挿しこむことができる。さらに、左右両側端部に設けられることで複数の内部が中空の容器を乾燥、収納することができる。
【００２３】
前記支持部材３は、線材によって形成されてなることとしてもよい。図１０に示すように一本の線材は、曲げ加工によりボトルスタンド部５と幅広支持部４と切込み６を有する支持部材３が形成されている。これにより、一本の線材で支持部材３が完成し構造が簡単なラック１を製造可能とする。
【００２４】
前記幅広支持部４の上端が上方に向かって凸状曲線に形成されてなることが好ましい。
一例として、図５に示すように前記幅広支持部４の上端が上方に向かって凸状曲線に形成される。また、本実施形態において、幅広支持部４は半円弧形状に形成されている。ここで、例えば幅広支持部４は矩形形状に形成されていてもよい。これにより、幅広支持部４は、両側のボトルスタンド部５に連続して本考案に係るラック１の横幅方向に渡って広く支持対象物を支持することができる。
【００２５】
前記基底部２は、図２に示すように奥行き方向に伸縮自在な伸縮構造を有してなることとしてもよい。
一例として、基底部２は奥行き方向に伸縮自在な伸縮構造に構成されている。前記伸縮構造は、パンタグラフ構造であることが望ましい。
図３に示すパンタグラフ構造により、結合点１９で結合させる支軸１５がロッド１６とつながり、ロッド１６が支軸１５にしたがって移動されるため、使用時には、すり板１４を正面から背面に向かう奥行方向に沿って互いに離間させることができる。これによりロッド１６の長さを最大として厚みが分厚い器具を立てかけることができる。この構造によって、立てかける器具に合わせて伸縮可能とする。
【００２６】
図８に示すように、不使用時には背面から正面に向かう方向に向かってすり板１４同士を接近させて基底部２の奥行き幅を狭くさせることができる。よって、ラック１がコンパクトになり収納場所に困ることがない。
【００２７】
前記支持部材３は、前記基底部２と着脱可能に取り付けられてなることが好ましい。
前記支持部材３の下端部１０は、左右方向に折り曲げられてなる折曲係合部１１を備える。本実施形態によると、波形形状に形成される。前記折曲係合部１１は、切込み６の方向である内方に突出する内凸部分１８と前記内凸部分１８と反対方向である外方に向かって突出する外凸部分１７からなる。この折曲係合部１１の外側に突出した外凸部分１７を、前記基底部２の左右端から上方に突設されてなる突設部１２に形成された挿通孔１３に係合する。また、挿通孔１３を複数設け、挿通孔１３の数と同じ数の外凸部分１７を複数有する折曲係合部１１を設けることとすれば、最下段の外凸部分１７をいずれかの挿通孔１３に係合することで支持部材３の高さを自在に変更できる。これにより、縦長の中空容器や側辺が長いまな板等を、容易に立てかけることができる。
【００２８】
さらに、着脱可能に係合されてなることで、異なる形状の支持部材３と交換可能となる。幅広支持部４が矩形形状の支持部材３を取り付けることとすれば、矩形形状の平らな器具を収納することもできる。このように、支持部材３を着脱可能とすることにより、多種類の調理器具を立てかけて収納することができ、大きさの異なる中空容器を挿しこんで収納することもできる。
【００２９】
幅広支持部４は支持部材３の側端部と幅広支持部４との間に上端が開いてなる切込み６が形成されてなる。一例として、図に示すように、切込み６は折曲係合部１１の位置まで設けられている。これにより、図６に示すように切込み６と一体となっているボトルスタンド部５の一側７と他側８の折曲係合部１１までの長さが同じになる。この形態によると筒形状の器具が傾いてしまうことを防止し、安定性を保ちながら収納することができる。
【００３０】
基底部２の左右端には上方に伸長した突設部１２が形成され、突設部１２には挿通孔１３が設けられている。この挿通孔１３は、実施形態によれば縦長楕円形状となっている。
これにより、この曲げられた折曲係合部１１の外側に突出した外凸部分１７を挿通孔１３に挿し込んで係合させることにより、基底部２の挿通孔１３に折曲係合部１１が着脱可能となる。
【００３１】
また、上記挿通孔１３は突設部１２上に複数設けられていてもよく、この挿通孔１３の数に対応する折曲係合部１１の外凸部分１７を設ける。下端の外凸部分１７を下端の挿通孔１３に係合することにより支持部材３の高さは低くなり、下端の外凸部分１７を上端の挿通孔１３に係合することにより支持部材３の高さは高くなる。このように、外凸部分１７と挿通孔１３を複数設けることにより支持部材３の高さ調整が可能となる。
【００３２】
次に本考案の使用方法を説明する。本考案は、収納時において図８に示す通り基底部２のすり板１４同士が隣接しており奥行きが最小になっている。使用時においては、基底部２のすり板１４同士を離間させるために、最前又は最後に位置する基底部２の一方を他方から離間する方向へ引っ張る。そうすると、支持部材３同士が離間して設置され、各支持部材３の間にフライパン２０や鍋蓋等、嵩の低い調理器具、台所用品、筒形状の容器を収納することができる。図９に示すように、一部の支持部材３間にボトルスタンド部５にペットボトル２２や瓶２１などの中空容器を挿し込み、他の支持部材３間にフライパン２０を収納することができる。これにより、支持対象物を収納することができる。
【００３３】
また、支持部材３が汚れた場合においては図１０に示すように外凸部分１７を両側から内方向に押圧することで挿通孔１３から折曲係合部１１が外れる。これにより、支持部材３を基底部２から取り外すことができ、汚れた支持部材３のみを外して洗浄することができる。
【００３４】
そして、再度、支持部材３を取り付ける際には外凸部分１７を基底部２の内側から挿通孔１３に係合することにより取り付けることができる。
【００３５】
さらに、収納対象物が本実施形態に限られないことは言うまでもなく書籍などを立てかけて収納することもできる。
【符号の説明】
【００３６】
１  ラック
２  基底部
３  支持部材
４  幅広支持部
５  ボトルスタンド部
６  切込み
７  一側
８  他側
１０  下端部
１１  折曲係合部
１２  突設部
１３  挿通孔
１４  すり板
１５  支軸
１６  ロッド
１７  外凸部分
１８  内凸部分
１９  結合点
２０  フライパン
２１  瓶
２２  ペットボトル
【図１】
0003233352.tif 000003
【図２】
0003233352.tif 000004
【図３】
0003233352.tif 000005
【図４】
0003233352.tif 000006
【図５】
0003233352.tif 000007
【図６】
0003233352.tif 000008
【図７】
0003233352.tif 000009
【図８】
0003233352.tif 000010
【図９】
0003233352.tif 000011
【図１０】
0003233352.tif 000012